(57)【要約】【課題】タイル貼りの仕上げ作業において、より単純な動作で目地セメントの払拭・吸着と濯ぎ洗い、絞りができる工法とその用具を提供する。【解決手段】タイル貼りの目地仕上げ工程において、連続気泡の樹脂発泡体１１を、把手１２ａを取付けた圧盤１３に貼り付けてなる拭き取り用具１０ａ、上記拭き取り用具１０ａの幅より広い開口１４を有し、上記開口１４の片方に上記拭き取り用具１０ａの幅と同等の幅を有する簾の子１５を取付けた洗い桶２０とを用意し、上記洗い桶２０に水を張り、上記拭き取り用具１０の樹脂発泡体１１に水を含ませ、タイルの表面に残った目地セメントを払拭・吸着し、該拭き取り具１０ａを上記簾の子１５に押し当て、樹脂発泡体１１に払拭・吸着させた目地セメントを水と共に絞り出すようにする。【選択図】  図１
2004332427.tif 000002
【特許請求の範囲】
【請求項１】
タイル貼りの目地仕上げ工程において、連続気泡の樹脂発泡体を圧盤に貼り付けてなる拭き取り用具と、上記拭き取り用具の幅より広い開口を有し、上記開口の片方に上記拭き取り用具の幅と同等の幅を有する簾の子を取付けた洗い桶とを用意し、上記洗い桶に水を張り、上記拭き取り用具を洗い桶の水に浸して樹脂発泡体に水を含ませ、タイルの表面に残った目地セメントを払拭・吸着し、該拭き取り用具を上記簾の子に押し当て、樹脂発泡体に払拭・吸着した目地セメントを水と共に絞り出すことを特徴とするタイル貼り工法。
【請求項２】
把手または操作棒を取付けた圧盤に連続気泡の樹脂発泡体を貼り付けた拭き取り用具と、上記拭き取り用具の幅より広い開口を有し、上記開口の片方に上記拭き取り用具の幅と同等の幅を有する簾の子を取付けた洗い桶とからなるタイル貼り仕上げ用具。
【請求項３】
上記樹脂発泡体は、ポリウレタンまたはエチレン酢酸ビニル共重合体の連続発泡体である請求項２に記載のタイル貼り仕上げ用具。
【請求項４】
上記洗い桶の絞り出し側と濯ぎ洗い側との間に隔壁を設け、絞り出された水が濯ぎ洗い側に溢水するようにしてなる請求項２または３に記載のタイル貼り仕上げ用具。
【発明の詳細な説明】
【０００１】
【発明の属する技術分野】
この発明は、タイル貼り工法とそれに用いる用具に関する。
【０００２】
【従来の技術】
タイル貼り工事の仕上げ段階では、タイルの表面に付着した目地セメントを洗い落とす作業があり、この作業の専用用具がなく、雑巾かスポンジに水を含ませて拭き取り、洗い桶で濯ぎ洗いし、絞る動作を繰り返すようにしていた。
【０００３】
上記状況のもと、本出願人は特願２００２−１６０９８２号で「タイル工事の仕上げ作業で用いるモップ装置において、バケツの上部開口の前よりにロッドを亘設し、このロッドから一定間隔をあけて軸を設け、この軸を中心に揺動可能に簾の子を取付けたバケツと、保持板に拭き取り体を貼り付け、この保持板に柄を取付けた拭き取りモップからなるタイル工用モップ装置」を提案した。
【０００４】
【発明が解決しようとする課題】
上記提案によって保持板に貼り付けたスポンジを梃子の作用で絞ることができ、タイル貼り付け工事の仕上げにおける目地セメントの拭き取りと、濯ぎ洗い、絞り出しが容易になった。
【０００５】
しかし実作業では、作業のスピードアップが求められ梃子の作用を利用する動作が煩わしくスピードアップの妨げになっており、より単純な動作で作業ができるものが求められていることが分かった。
【０００６】
上記実情に鑑みこの発明は、タイル貼りの仕上げ作業において、より単純な動作で目地セメントの払拭・吸着と濯ぎ洗い、絞り出しができる工法とその用具を提供することを課題とする。
【０００７】
【課題を解決するための手段】
上記課題を解決するためにこの発明は、タイル貼りの目地仕上げ工程において、連続気泡の樹脂発泡体を圧盤に貼り付けてなる拭き取り用具と、上記拭き取り用具の幅より広い開口を有し、上記開口の片方に上記拭き取り用具の幅と同等の幅を有する簾の子を取付けた洗い桶とを用意し、上記洗い桶に水を張り、上記拭き取り用具を洗い桶の水に浸して樹脂発泡体に水を含ませ、タイルの表面に残った目地セメントを払拭・吸着し、該拭き取り用具を上記簾の子に押し当て、樹脂発泡体に払拭・吸着した目地セメントを水と共に絞り出すようにするものであり、上記作業に用いる用具は、把手または操作棒を取付けた圧盤に、例えばポリウレタンまたはエチレン酢酸ビニル共重合体の連続気泡発泡体を貼り付けた拭き取り用具と、上記拭き取り用具の幅より広い開口を有し、上記開口の片方に上記拭き取り用具の幅と同等の幅を有する簾の子を取付けた洗い桶とからなる。なお、上記洗い桶の絞り出し側と濯ぎ洗い側との間に、上端にフィルターを有する隔壁を設け、絞り出された水が濯ぎ洗い側に溢水するようにすることができる。
【０００８】
なお、上記簾の子は、鉄線・ステンレス線の枠体に同様の線を多数亘設したもの、クリンプ金網、エキスパンジョンネットあるいはブレッチング状のものを採用することができる。また、その材質も上記のものに限らずプラスチックとすることができ、プラスチックとするときは洗い桶と一体とすることができる。
【０００９】
上記の如く構成するこの発明によれば、貼り付けられたタイル表面に残った目地セメントを連続気泡の樹脂発泡体で払拭・吸着し、該樹脂発泡体を圧盤とともに簾の子に押し当てて払拭・吸着した目地セメントを水と共に絞り出し、洗い桶で濯ぎ洗いすることができる。
【００１０】
【発明の実施の形態】
次にこの発明の実施の形態を、図面を参照しながら説明する。
【００１１】
図１（ａ），（ｂ），（Ｃ）に示すように、ポリウレタンを高発泡させた連続気泡の発泡体１１に、把手１２ａを取付けた圧盤１３を貼り付けた拭き取り用具１０ａを用意する。
【００１２】
一方、図１（ｂ）の如く上部を開口１４し、その開口１４の片方に寄せて上記拭き取り用具１０ａの幅にほぼ対応する簾の子１５を設けた洗い桶２０を用意する。
【００１３】
上記拭き取り用具１０ａの発泡体１１を洗い桶２０の水に浸し、適量の水を含ませて貼り付けられたタイルの表面に残った目地セメントを拭き取り・吸着し、該発泡体１１を洗い桶２０上の簾の子１５上に載せ、図１（ｃ）の如く押え付けて発泡体に拭き取り・吸着した目地セメントを水と共に絞り出す。
【００１４】
なお、ここで洗い桶２０には、図３の如く上端で溢水可能にした隔壁１６を設けて絞り出し側と濯ぎ洗い側の二槽２０ａ，２０ｂに分けると、絞り出された目地セメントを含んで水は直下の槽２０ａに入り目地セメント分が沈殿し、上澄みが濯ぎ洗いをする槽２０ｂに入るので、該槽２０ｂの水を綺麗に保つことができる。また、上記隔壁１６の上端にフィルター１６ｆを取付けると槽２０ａから槽２０ｂへ溢水するときに浮遊する目地セメントが濾されて一層良好な結果が得られる。
【００１５】
なお、発泡体１１に圧盤１３を貼り付ける手法は、公知の接着法を採用し、圧盤に把手、操作棒１２ａ，１２ｂを取付ける手法はアリとアリ溝、ターンクリップなどの公知の手法を採用することができる。
【００１６】
図２は、発泡体１１に、操作棒１２ｂを取付けた圧盤１３を貼り付けたもので取り扱いは図１のものと変わらないので説明を省略する。
【００１７】
【発明の効果】
以上説明した如くこの発明によれば、貼り付けられたタイル表面に残った目地セメントは、連続気泡の樹脂発泡体により払拭・吸着され、該樹脂発泡体を、把手または操作棒を取付けた圧盤とともに簾の子に押し当てることにより、上記目地セメントが水と共に絞り出され、洗い桶で濯ぎ洗いすることができる。また、フィルターを設けた隔壁を設けることにより絞り出された目地セメントは沈殿して上澄みのみが濯ぎ洗い側の槽に溢水して濯ぎ洗いの水が汚れるのを防止することができる。
【図面の簡単な説明】
【図１】（ａ）把手付き拭き取り用具の正面図
（ｂ）洗い桶の断面図
（ｃ）拭き取り用具を押し付けた洗い桶の断面図
【図２】操作棒付き拭き取り用具の斜視図
【図３】隔壁を設けた洗い桶の断面図
【符号の説明】
１０ａ，１０ｂ  拭き取り用具
１１  発泡体
１２ａ  把手
１２ｂ  操作棒
１３  圧盤
１４  開口（洗い桶の）
１５  簾の子
１６  隔壁
１６ｆ  フィルター
２０  洗い桶
２０ａ  槽（目地セメント沈殿側）
２０ｂ  槽（濯ぎ洗い側）
【図１】
2004332427.tif 000003
【図２】
2004332427.tif 000004
【図３】
2004332427.tif 000005